(57)【要約】【課題】簡単な操作で良好な測定状態の心電波形を記録できる心電計を提供する。【解決手段】スリープモードで測定スイッチが押された場合（Ｓ１０で「測定ＳＷ」）、ＣＰＵ１０は、主電源を起動して心電計をアクティブモードにして、各部の制御を開始する初期動作を行なう（Ｓ２０）。さらに、心電計において測定機能を動作させるための測定プログラムを選択し、ステップＳ６０まで処理をスキップして測定処理に分岐する。【選択図】        図１２
2005000420.tif 000002
【特許請求の範囲】
【請求項１】
機能を指示する機能スイッチと、
前記機能を実現するためのプログラムを記憶する記憶装置と、
電源の供給を制御する電源制御手段と、
少なくとも前記機能スイッチが押されたことを検出できる省電力状態であるときに前記機能スイッチが押されたことを検出すると、前記機能を実現できる電力状態になるまで電源を供給するよう前記電源制御手段を制御し、前記記憶装置に記憶されている前記押されたことが検出された機能スイッチに対応した機能を実現するためのプログラムを実行するよう制御する制御手段とを備える、心電計。
【請求項２】
前記機能は、当該心電計における心電波形の測定機能を含む、請求項１に記載の心電計。
【請求項３】
被験者の身体に接触して前記被験者の心電波形を測定する、少なくとも１対の誘導電極を含み、前記心電波形の測定機能を指示する機能スイッチである測定スイッチは、前記誘導電極を前記被験者の身体に接触させる際に押される位置に備えられて、
電源がＯＦＦ時に前記誘導電極を前記被験者の身体に接触させると、前記制御手段は、電源を供給するよう前記電源制御手段を制御し、前記記憶装置に記憶されている前記測定機能を実現するためのプログラムを実行するよう制御する、請求項２に記載の心電計。
【請求項４】
機能を指示する機能スイッチと、前記機能を実現するためのプログラムを記憶する記憶装置とを含む心電計を制御する制御方法であって、
電源の供給を制御する電源制御ステップと、
少なくとも前記機能スイッチが押されたことを検出できる省電力状態であるときに前記機能スイッチが押されたことを検出すると、前記機能を実現できる電力状態になるまで電源を供給するために前記電源制御ステップを実行させるよう制御する第１の制御ステップと、
前記記憶装置に記憶されている前記押されたことが検出された機能スイッチに対応した機能を実現するためのプログラムを実行するよう制御する第２の制御ステップとを備える、心電計の制御方法。
【発明の詳細な説明】
【０００１】
【発明の属する技術分野】
この発明は心電計および心電計の制御方法に関し、特に、簡単な操作で良好な測定状態の心電波形を記録できる心電計および心電計の制御方法に関する。
【０００２】
【従来の技術】
心筋梗塞、狭心症、虚血性心疾患などの心疾患に対する有効な診断方法として心電図を用いる方法が挙げられる。このような心疾患をより有効に診断するためには、日常生活における胸部の痛みや動悸などの異常発生時の心電図を用いることが早期発見、適切な治療につながり好ましい。
【０００３】
しかしながら、異常発生時にすぐに心電波形を測定するために適切な病院に行くことができない場合や、また、病院で測定を行なう際にはすでに異常が治まっている場合もある。そこで、近年では、確実に異常時の心電波形を測定するために、携帯型の心電計が提案されており、上記異常が発生したときの心電波形を測定することを可能にしている。
【０００４】
このような携帯型の装置として、特許文献１は、心電波測定装置と処理装置とからなる装置において、心電波測定装置の心電波が入力される電極を測定開始のためのスイッチとして使用し、心電波測定装置で測定された心電波データを処理装置に出力して処理装置において処理を行なう構成とすることで、測定時の操作性を簡素化した心電波測定装置を開示している。
【０００５】
また、特許文献２は、所定時間以上のスイッチの押下を検知してオン状態とオフ状態との切替えを行なうよう構成することで、誤動作を防止できる携帯用生体信号測定装置を開示している。
【０００６】
【特許文献１】
特開平７−１９４５６２号公報
【０００７】
【特許文献２】
特開平８−２２４２１６号公報
【０００８】
【発明が解決しようとする課題】
しかしながら、特許文献１で開示されているような心電波測定装置を用いて心電波形を測定する場合、電源ボタン押下して電源を投入した後に、心電電極の部分を握りもう一方の電極を体に押し当ててから測定ボタンを押さなければならないため、電源投入から測定開始までの操作が多くなり、発作時の心電波形を記録し損なう場合があるという問題点があった。
【０００９】
また、特許文献２で開示されているような携帯用生体信号測定装置を用いて心電波形を測定する場合、電源スイッチや測定オン・オフスイッチといった測定開始の指示入力に必要なスイッチを所定時間以上押し続けないと測定処理が開始しないため、発作時の心電波形を記録し損なう場合があるという問題点があった。
【００１０】
本発明はこのような問題に鑑みてなされたものであり、装置の電源投入から所定モードまでの手順や操作を減らし、簡単な操作で良好な測定状態の心電波形を記録できる心電計および心電計の制御方法を提供することを目的とする。
【００１１】
【課題を解決するための手段】
上記目的を達成するために、本発明のある局面に従うと、心電計は、機能を指示する機能スイッチと、機能を実現するためのプログラムを記憶する記憶装置と、電源の供給を制御する電源制御手段と、少なくとも機能スイッチが押されたことを検出できる省電力状態であるときに機能スイッチが押されたことを検出すると、機能を実現できる電力状態になるまで電源を供給するよう電源制御手段を制御し、記憶装置に記憶されている、押されたことが検出された機能スイッチに対応した機能を実現するためのプログラムを実行するよう制御する制御手段とを備える。
【００１２】
また、上述の機能は、当該心電計における心電波形の測定機能を含むことが好ましい。
【００１３】
さらに、心電計は、被験者の身体に接触して前記被験者の心電波形を測定する、少なくとも１対の誘導電極を含み、心電波形の測定機能を指示する機能スイッチである測定スイッチは、誘導電極を被験者の身体に接触させる際に押される位置に備えられて、電源がＯＦＦ時に誘導電極を前記被験者の身体に接触させると、制御手段は、電源を供給するよう電源制御手段を制御し、記憶装置に記憶されている測定機能を実現するためのプログラムを実行するよう制御することが好ましい。
【００１４】
本発明の他の局面に従うと、心電計の制御方法は、機能を指示する機能スイッチと、機能を実現するためのプログラムを記憶する記憶装置とを含む心電計を制御する制御方法であって、電源の供給を制御する電源制御ステップと、少なくとも機能スイッチが押されたことを検出できる省電力状態であるときに機能スイッチが押されたことを検出すると、機能を実現できる電力状態になるまで電源を供給するために電源制御ステップを実行させるよう制御する第１の制御ステップと、記憶装置に記憶されている、押されたことが検出された機能スイッチに対応した機能を実現するためのプログラムを実行するよう制御する第２の制御ステップとを備える。
【００１５】
【発明の実施の形態】
以下に、図面を参照しつつ、本発明の実施の形態について説明する。以下の説明では、同一の部品および構成要素には同一の符号を付してある。それらの名称および機能も同じである。したがってそれらについての詳細な説明は繰返さない。
【００１６】
本実施の形態における携帯型心電計（以下、心電計と言う）１の外観の具体例を図１〜図４に示す。心電計１の形状は掌におさまる大きさの横長形状であって、図１は、心電計１の表示機能や操作機能を備える面から見た図である。説明上、この面を心電計１の正面として、長手方向を横方向とする。すなわち、図１に示される正面に向かって右を心電計１の右側、正面に向かって左を心電計１の左側とする。図１は心電計１の正面図であり、図２は心電計１の上面図であり、図３は心電計１の左側面図であり、図４は心電計１の右側面図である。
【００１７】
図１を参照して、心電計１は、その正面左寄りの位置に、測定結果やガイド情報を表示するディスプレイ１０を備え、その右側に、各種設定を行なうために用いる設定スイッチ１１と、測定結果をディスプレイ１０に表示させるために用いる表示スイッチ１２と、測定結果のグラフやガイド情報など、ディスプレイ１０に表示される情報をスクロールして表示させるためのスクロールスイッチ１３とを備える。さらに、正面の右側に、その縦辺に相当する範囲の負電極１４を備え、負電極１４上には、突起１５が備えられる。
【００１８】
また、図１〜図３を参照して、その正面左側の縦辺に相当する範囲に、正面から左側面をまたいで背面にかけて、正電極１６を備える。
【００１９】
さらに図２を参照して、その上面右寄りであって、負電極１４より左寄りの位置に、測定を開始するための測定スイッチ１７と、その左隣の位置に電源スイッチ１８とを備える。また、その背面の負電極１４に対応する位置付近であって、その縦辺に相当する範囲に不関電極である中性電極１９を備える。負電極１４と中性電極１９とを含む心電計１の右端部分で、当該心電計１を右手で保持するための把持部分を構成する。また、正電極１６を含む心電計１の左端部分で、当該心電計１を被験者の電極接触部位に押し当てるための接触部を構成する。
【００２０】
より具体的には、設定スイッチ１１と、表示スイッチ１２と、スクロールスイッチ１３とは、負電極１４と中性電極１９とを含む把持部分を右手で把持した状態で、右手の親指で操作できる位置に備えられる。また、  測定スイッチ１７と電源スイッチ１８とは、負電極１４と中性電極１９とを含む把持部分を右手で把持した状態で、右手の人差指で操作できる位置に備えられる。また、突起１５は、被験者が負電極１４と中性電極１９とを含む把持部分を右手で把持した際に掌が滑らないように設けられるものであって、負電極１４を被験者の右手に確実に接触させることを目的とするものである。
【００２１】
本実施の形態にかかる心電計１を用いて被験者が自らの心電波形を測定する場合の測定姿勢の具体例を図５に示す。すなわち、図５を参照して、被験者は、その右手で、心電計１の負電極１４と中性電極１９とを含む把持部分を把持して心電計１を保持し、正電極１６を含む接触部を被験者の右手以外の電極接触部位に押し当てる姿勢で心電波形の測定を行なう。このようにすることで、正電極１６の接する電極接触部位から心臓を通過して負電極１４の接する右手に到達する回路を構成し、被験者の心筋の活動時に発生する電気的興奮に伴う活動電位（心電波形）を、誘導電極である正電極１６と負電極１４との電位差で測定する。なお、図５に示される測定姿勢での測定方法は代表的な測定方法を表わしており、負電極１４を右手に接触させ、正電極１６を第５肋間前腋窩線上の皮膚に接触させて測定する方法を示している。
【００２２】
図６に、本実施の形態にかかる心電計１の機能構成をブロック図で示す。図６を参照して、心電計１は、ＣＰＵ（Ｃｅｎｔｒａｌ  Ｐｒｏｃｅｓｓｉｎｇ  Ｕｎｉｔ）１０１と、正電極１６と負電極１４とを含んで構成される電極部１０２と、アンプ部１０３と、Ａ／Ｄ（Ａｎａｌｏｇ  ｔｏ  Ｄｉｇｉｔａｌ）変換部１１０と、スイッチ１１〜１３，１７，１８などを含んで構成される操作部１０４と、ディスプレイ１０を含んで構成される表示部１０５と、ＣＰＵ１０１で実行されるプログラムや測定データなどを格納するメモリ１０６と、電源制御部１０７と、電源部１０８と、タイマ１０９とを含んで構成される。
【００２３】
電源部１０８は心電計１に電力を供給する。心電計１には、少なくともスイッチ１１〜１３，１７，１８が押されたことを検出できる程度の省電力の状態と、プログラムが起動されて押されたスイッチに応じた機能を発揮できる電力状態との２種類の電力状態があって、前者のモード（電力状態）を本実施の形態においてはスリープモードと言い、後者のモードをアクティブモードと言うものとする。そして、電源部１０８はその内部に含まれる電源メモリ１０８１に、現在の心電計１のモードを記憶する。
【００２４】
ＣＰＵ１０１は、スリープモードにおいて操作部１０４から電源スイッチ１８が押されたことを示すスイッチ信号を受取ると、電源制御部１０７に起動電力を供給するよう指示する制御信号を出力する。電源制御部１０７は、ＣＰＵ１０１から入力された制御信号に基づいて電源部１０８で供給する電力量を起動電力まで増加させ、心電計１をアクティブモードにする。
【００２５】
心電計１の主電源が起動してアクティブモードになると、ＣＰＵ１０１は、操作部１０４から入力されたスイッチ信号に応じてメモリ１０６に格納されているプログラムを読出して実行し、制御信号を心電計１の各部に出力することで全体制御を実行する。その際、必要に応じてタイマ１０９に計時させる。
【００２６】
アンプ部１０３は正電極１６と負電極１４との電位差を検出して所定の振幅まで増幅し、ノイズを除去する。さらに電極信号はアンプ部１０３からＡ／Ｄ変換部１１０に渡され、デジタル信号に変換されてＣＰＵ１０１に入力される。
【００２７】
ＣＰＵ１０１は、アンプ部１０３およびＡ／Ｄ変換部１１０を介して電極部１０２から入力された電極信号をメモリ１０６の所定領域に格納する。また、ＣＰＵ１０１は、アンプ部１０３から入力された電極信号に対して表示するための処理を施こして心電波形を含む測定結果画面を生成し、表示部１０５に出力する。表示部１０５は、ＣＰＵ１０１から入力された測定結果画面を出力する。また、ＣＰＵ１０１は、入力された電極信号を解析し、解析結果に応じたメッセージをディスプレイ１０に表示させるためにメッセージ情報を表示部１０５に出力する。
【００２８】
さらに、図７に、上述のＣＰＵ１０１、操作部１０４、メモリ１０６、電源制御部１０７、および電源部１０８の機能構成の具体例を示す。図７を参照して、上述のように操作部１０４は、機能を指示する機能スイッチである設定スイッチ１１、表示スイッチ１２、測定スイッチ１７、および電源スイッチ１８を含んで構成され、いずれかのスイッチが押されたとき、いずれのスイッチが押されたかを示すスイッチ信号をＣＰＵ１０１に出力する。
【００２９】
ＣＰＵ１０１はＯＮ／ＯＦＦ判定部１０１１とスイッチ判定部１０１２と機能選択部１０１３とを含み、ＯＮ／ＯＦＦ判定部１０１１は、操作部１０４からスイッチ信号を受取ると、電源制御部１０７を介して電源部１０８の電源メモリ１０８１を参照し、心電計１がアクティブモードかスリープモードかを判定する。そして、心電計１がスリープモードであると判定された場合には、ＯＮ／ＯＦＦ判定部１０１１は、電源制御部１０７に対して起動電力を供給するよう指示する制御信号を出力する。
【００３０】
また、スイッチ判定部１０１２は、操作部１０４から入力されたスイッチ信号を解析していずれのスイッチが押されたかを判定する。そしてスイッチ判定部１０１２は、判定結果を機能選択部１０１３に出力する。
【００３１】
メモリ１０６は、上述のように所定領域にＣＰＵ１０１で実行するプログラムを記憶する。本実施の形態においてＣＰＵ１０１で実行するプログラムは、心電計１で実行される一連の処理を構成する複数の処理の各々機能に対応する、モジュール化されていてもよい。具体的には、メモリ１０６の所定領域には、ＣＰＵ１０１で実行するプログラムとして、ＣＰＵ１０１にメニュー処理を実行させるメニュープログラム１０６１、設定処理を実行させる設定プログラム１０６２、表示処理を実行させる表示プログラム１０６３、および測定処理を実行させる測定プログラム１０６４が記憶される。
【００３２】
ＣＰＵ１０１の機能選択部１０１３は、スイッチ判定部１０１２から入力された判定結果、すなわち押されたスイッチに応じて、メモリ１０６の所定領域に格納されるプログラム１０６１〜１０６４の中から該当するプログラムを選択し、分岐させて実行するプログラムとして決定する。なお、各プログラム１０６１〜１０６４を実行することで実現される処理について、図８〜図１１を用いて説明する。
【００３３】
図８を参照して、メニュープログラム１０６１を実行することで実現されるメニュー処理は、始めに、ＣＰＵ１０１はメモリ１０６の所定領域に格納されているオープニング画面（開始画面）の画面情報を読出し、表示部１０５に出力してディスプレイ１０に表示する（Ｓ１０１）。引続いて、以降の処理を選択するためのメニュー画面を同様にしてディスプレイ１０に表示し（Ｓ１０３）、以降の処理の選択を受付ける。
【００３４】
また、図９を参照して、設定プログラム１０６２を実行することで実現される設定処理は、始めに、ＣＰＵ１０１は設定項目の選択を受付けるための設定メニューを同様にしてディスプレイ１０に表示し（Ｓ１１１）、使用者からメニューの選択を受付ける（Ｓ１１３でＹＥＳ）。そして、選択された設定項目に対して、所定の設定を行なう設定処理を実行する（Ｓ１１５）。なお、設定処理としては、たとえば表示のサイズや測定時間や測定方法などの設定が挙げられるが、それらの設定方法はコンピュータなどで広く一般的に行なわれている設定方法であるため、ここでの説明は行なわない。
【００３５】
また、図１０を参照して、表示プログラム１０６３を実行することで実現される表示処理は、始めに、ＣＰＵ１０１はメモリ１０６の所定領域に格納されている表示用のデータを参照し、同様にしてそのインデックスをディスプレイ１０に表示する（Ｓ１２１）。表示用のデータは、以前に測定されてメモリ１０６に格納されている測定結果などが該当する。そして、インデックス表示に基づいて表示させるデータの選択を受付けると（Ｓ１２３でＹＥＳ）、該当するデータをメモリ１０６から読出して表示部１０５に出力し、ディスプレイ１０に表示する（Ｓ１２５）。
【００３６】
また、図１１を参照して、測定プログラム１０６４を実行することで実現される測定処理は、始めに、ＣＰＵ１０１は心電波形測定の開始を通知する測定開始メッセージを同様にしてディスプレイ１０に表示する（Ｓ１３１）。次に電極部１０２から入力される電極信号に基づいて、正電極１６および／または負電極１４が被験者の所定の部位に安定して接触しているか否かを示す接触安定性を計測し、安定性を確認する（Ｓ１３３）。なお、ステップＳ１３３における接触安定性計測処理については本発明において限定されず、従来の心電計において行なわれている処理を用いることができるため、ここでの説明は行なわない。
【００３７】
ステップＳ１３３において接触安定性が確認されると（Ｓ１３３でＹＥＳ）、ＣＰＵ１０１は電極部１０２から入力される電極信号に基づいて被験者の心電波形の測定を行ない、その測定結果をリアルタイムに表示部１０に表示する。また、その測定結果をメモリ１０６の所定領域に格納する（Ｓ１３５）。また、ステップＳ１３３において接触安定性が確認されない場合（Ｓ１３３でＮＯ）、ＣＰＵ１０１は処理をステップＳ１３１へ戻す。または、誘導電極が被験者の所定の部位に安定して接触していない旨を示すエラー通知を行なってもよい。
【００３８】
ＣＰＵ１０１はタイマ１０９で計時される時間を参照して規定時間ステップＳ１３５の測定を行なうと、測定を終了して（Ｓ１３７でＹＥＳ）、本測定結果をディスプレイ１０に表示する（Ｓ１３９）。
【００３９】
次に、心電計１における全体処理の流れについて図１２を用いて説明する。
図１２を参照して、始めに、スリープモードにおいていずれかのスイッチが押された場合、ＣＰＵ１０１ではそのことを示すスイッチ信号を操作部１０４から受取り、ＯＮ／ＯＦＦ判定部１０１１で、電源メモリ１０８１を参照して現在の心電計１のモードを判定する。また、スイッチ判定部１０１２で、いずれのスイッチが押されたか判定する（Ｓ１０）。
【００４０】
心電計１がスリープモードであって、スイッチ判定部１０１２で電源スイッチ１８が押されたと判定した場合（Ｓ１０で「電源ＳＷ」）、主電源を起動して心電計１をアクティブモードにして、ＣＰＵ１０１は所定の主電源起動時処理、すなわち各部の制御を開始する初期動作を行なう（Ｓ２０）。そして、機能選択部１０１３は、実行するプログラムとして電源スイッチ１８に対応したメニュープログラム１０６１を選択し、処理を上述のメニュー処理に分岐する（Ｓ３０）。
【００４１】
メニュー処理においては使用者からスイッチでの選択を受付けて、ステップＳ１０と同様に、スイッチ判定部１０１２でいずれのスイッチが押されたか判定する（Ｓ４０）。そして、機能選択部１０１３は、スイッチ判定部１０１２で押されたと判定されたスイッチに応じたプログラムを実行するプログラムとして選択する。すなわち、スイッチ判定部１０１２で設定スイッチ１１が押されたと判定した場合（Ｓ４０で「設定ＳＷ」）、機能選択部１０１３は実行するプログラムとして設定スイッチ１１に対応した設定プログラム１０６２を選択し、処理を上述の設定処理に分岐する（Ｓ５０）。また、スイッチ判定部１０１２で測定スイッチ１７が押されたと判定した場合（Ｓ４０で「測定ＳＷ」）、機能選択部１０１３は実行するプログラムとして測定スイッチ１７に対応した測定プログラム１０６４を選択し、処理を上述の測定処理に分岐する（Ｓ６０）。また、スイッチ判定部１０１２で表示スイッチ１２が押されたと判定した場合（Ｓ４０で「表示ＳＷ」）、機能選択部１０１３は実行するプログラムとして表示スイッチ１２に対応した表示プログラム１０６３を選択し、処理を上述の表示処理に分岐する（Ｓ７０）。
【００４２】
なお、上述のステップＳ５０〜Ｓ７０における処理が終了した後、自動的に心電計１がスリープモードに移行してもよいし、処理をステップＳ３０のメニュー表示に戻してもよい。
【００４３】
上に説明した処理の流れが心電計１における一般的な処理の流れであるが、本発明にかかる心電計では、さらに次のような処理の流れが実現されることを特徴とする。
【００４４】
すなわち、さらに図１２を参照して、スリープモードにおいてスイッチ判定部１０１２で測定スイッチ１７が押されたと判定した場合（Ｓ１０で「測定ＳＷ」）、同様にステップＳ２０の主電源の起動と初期動作とを行なった後、機能選択部１０１３は実行するプログラムとして測定プログラム１０６４を選択し、ステップＳ６０まで処理をスキップして上述の測定処理に分岐する。
【００４５】
また、スリープモードにおいてスイッチ判定部１０１２で設定スイッチ１１が押されたと判定した場合も（Ｓ１０で「設定ＳＷ」）、同様にステップＳ２０の主電源の起動と初期動作とを行なった後、機能選択部１０１３は実行するプログラムとして設定プログラム１０６２を選択し、ステップＳ５０まで処理をスキップして上述の設定処理に分岐する。
【００４６】
また、スリープモードにおいてスイッチ判定部１０１２で表示スイッチ１２が押されたと判定した場合も（Ｓ１０で「表示ＳＷ」）、同様にステップＳ２０の主電源の起動と初期動作とを行なった後、機能選択部１０１３は実行するプログラムとして表示プログラム１０６３を選択し、ステップＳ７０まで処理をスキップして上述の表示処理に分岐する。
【００４７】
本発明にかかる心電計でこのような処理が実行されることで、電源投入から各モード（測定モード、設定モード、表示モード等）までの装置操作が減少される。また、電源投入から各モードまでの所要時間が短縮される。この結果、電源投入から測定までの所要時間も短縮され、被験者に胸部の痛みや動悸などの異常が発生した際、そのタイミングですばやく心電波形を測定することができて有効な測定結果を得ることができる。
【００４８】
［変形例］
さらに、変形例における心電計１の具体例としての正面図を図１３に示す。すなわち、変形例において、心電計１は測定ボタン１７を電極１９とを含む心電計１の右端部分である把持部分に備えることを特徴とする。測定ボタン１７の位置は、図１３に示されるような心電計１の右端に限定されず、把持部分であればその他の位置であってもよい。また、接触部に備えられてもよい。
【００４９】
変形例における心電計１でも、上述と同様に、スリープモードにおけるユーザ操作（スイッチの押下等）によって主電源を起動し、ユーザ操作に応じた処理までをスキップしてユーザ操作に応じた処理から実行する。
【００５０】
変形例における心電計１をこのような構成とすることで、被験者が心電波形の測定を開始する際に心電計１の把持部分を右手で把持すると、あるいは、接触部を電極接触部位に押し当てると、測定ボタン１７が押され、電源投入から測定モードに処理がスキップする。すなわち、変形例における心電計をこのような構成とし上述の処理が実行されることで、電源投入から測定までの装置操作が減少される。また、電源投入から測定までの所要時間が短縮される。この結果、被験者に胸部の痛みや動悸などの異常が発生した際、そのタイミングですばやく心電波形を測定することができ、有効な測定結果を得ることができる。
【００５１】
なお、本発明にかかる心電計の制御方法であって、スリープモードにおけるユーザ操作（スイッチの押下等）によって主電源を起動し、ユーザ操作に応じた処理までをスキップしてユーザ操作に応じた処理から実行させる機器の制御方法は、心電計のみならず、他の機器においても行なうことができる。他の機器としては、具体的にはＰＤＡ（Ｐｅｒｓｏｎａｌ  Ｄｉｇｉｔａｌ  Ａｓｓｉｓｔａｎｔｓ）や携帯電話や電子辞書、ＤＶＤ（Ｄｉｇｉｔａｌ  Ｖｉｄｅｏ  Ｄｉｓｃ）プレーヤなどの記録媒体再生装置、などが該当する。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【図１】心電計１の正面図である。
【図２】心電計１の上面図である。
【図３】心電計１の左側面図である。
【図４】心電計１の右側面図である。
【図５】測定姿勢の一例を示す図である。
【図６】心電計１の機能構成を示すブロック図である。
【図７】ＣＰＵ１０１、操作部１０４、メモリ１０６、電源制御部１０７、および電源部１０８の機能構成の具体例を示す図である。
【図８】メニュー処理を示すフローチャートである。
【図９】設定処理を示すフローチャートである。
【図１０】表示処理を示すフローチャートである。
【図１１】測定処理を示すフローチャートである。
【図１２】心電計１における全体処理の流れを示すフローチャートである。
【図１３】変形例における心電計１の具体例としての正面図である。
【符号の説明】
１  心電計、１０  ディスプレイ、１１  設定スイッチ、１２  表示スイッチ、１３  スクロールスイッチ、１４  負電極、１５  突起、１６  正電極、１７測定スイッチ、１８  電源スイッチ、１９  中性電極、１０１  ＣＰＵ、１０２  電極部、１０３  アンプ部、１０４  操作部、１０５  表示部、１０６  メモリ、１０７  電源制御部、１０８  電源部、１０９  タイマ、１１０  Ａ／Ｄ変換部、１０１１  ＯＮ／ＯＦＦ判定部、１０１２  スイッチ判定部、１０１３機能選択部、１０６１  メニュープログラム、１０６２  設定プログラム、１０６３  表示プログラム、１０６４  測定プログラム、１０８１  電源メモリ。
【図１】
2005000420.tif 000003
【図２】
2005000420.tif 000004
【図３】
2005000420.tif 000005
【図４】
2005000420.tif 000006
【図５】
2005000420.tif 000007
【図６】
2005000420.tif 000008
【図７】
2005000420.tif 000009
【図８】
2005000420.tif 000010
【図９】
2005000420.tif 000011
【図１０】
2005000420.tif 000012
【図１１】
2005000420.tif 000013
【図１２】
2005000420.tif 000014
【図１３】
2005000420.tif 000015